(57)【要約】【課題】逆潮流発生時の配電線電圧上昇を抑え、適切な電圧制御を可能とする。【解決手段】１次側が上位系統に、２次側が配電系統に各々接続された変圧器のタップを切り替えて配電線の電圧を制御する装置であって、前記変圧器のタップを切り換える電圧調整用継電器の、入力電流に対する目標出力電圧の整定値を、入力電流の負側最大設定値から正側最大設定値にかけて上昇する電圧特性に整定しておき、配電線の電圧と電流の位相差を位相差演算部１２で演算し、その位相差に基づいて、逆潮流リレー１３によって潮流の向きを判定し、順潮流時は１（正符号）、逆潮流時は−１（負符号）を各々出力し、それら正又は負の符号を、乗算器１４において前記正の電流実効値に掛け合わせて、負方向に拡張された実効値、すなわち符号付電流実効値とし、前記電圧調整用継電器に導入する。【選択図】図２
2014239634.tif 000002
【特許請求の範囲】
【請求項１】
１次側が上位系統に、２次側が配電系統に各々接続された変圧器のタップを切り替えて配電線の電圧を制御する装置であって、
前記配電線の電流と電圧の位相差を演算する位相差演算部と、
前記配電線の電流の実効値を演算する電流実効値演算部と、
前記位相差演算部で演算された位相差に基づいて潮流の向きを判定し、順潮流であると判定されたときは正符号を出力し、逆潮流であると判定されたときは負符号を出力する逆潮流継電器と、
前記電流実効値演算部で演算された電流実効値に、前記逆潮流継電器から出力される正又は負の符号を掛け合わせた符号付電流実効値を入力とし、該入力された符号付電流実効値に対する目標出力電圧の整定値が、前記符号付電流実効値の負側最大設定値から正側最大設定値にかけて上昇する電圧特性に整定され、目標出力電圧に応じて前記変圧器のタップを切り替える電圧調整用継電器と、
を備えたことを特徴とする配電線の電圧制御装置。
【請求項２】
１次側が上位系統に、２次側が配電系統に各々接続された変圧器のタップを切り替えて配電線の電圧を制御する装置であって、
前記配電線の電流と電圧の位相差を演算する位相差演算部と、
前記配電線の電流の実効値を演算する電流実効値演算部と、
前記位相差演算部で演算された位相差に基づいて潮流の向きを判定し、順潮流か逆潮流かの判定結果に応じて電圧調整用継電器の整定特性を切り替えるための切替信号を出力する逆潮流継電器と、
前記電流実効値演算部で演算された電流実効値を入力とし、該入力された電流実効値に対する目標出力電圧の整定値が、第１の最小電流設定値から第１の最大電流設定値にかけて上昇する順潮流特性と、第２の最小電流設定値から第２の最大電流設定値にかけて下降する逆潮流特性とに整定され、前記逆潮流継電器からの切替信号によって切り替えられた順潮流特性又は逆潮流特性の目標出力電圧に応じて前記変圧器のタップを切り替える電圧調整用継電器と、
を備えたことを特徴とする配電線の電圧制御装置。
【請求項３】
前記逆潮流継電器は、前記位相差演算部で演算された位相差と前記電流実効値演算部で演算された電流実効値とに基づいて潮流の向きを判定することを特徴とする請求項１又は２に記載の配電線の電圧制御装置。
【請求項４】
前記位相差演算部、電流実効値演算部および逆潮流継電器は前記電圧調整用継電器内に内蔵されていることを特徴とする請求項１ないし３のいずれか１項に記載の配電線の電圧制御装置。
【請求項５】
前記電圧調整用継電器の出力電圧整定値は、入力電流が零に近い設定範囲において、出力電圧を増減させない領域が設定されていることを特徴とする請求項１ないし４のいずれか１項に記載の配電線の電圧制御装置。
【請求項６】
前記電圧調整用継電器の出力電圧整定値は、前記符号付電流実効値の正側と負側とで勾配を変更していることを特徴とする請求項１又は３又は４又は５に記載の配電線の電圧制御装置。
【請求項７】
前記電圧調整用継電器の出力電圧整定値は、前記順潮流特性と逆潮流特性とで勾配の度合いを変更していることを特徴とする請求項２ないし５のいずれか１項に記載の配電線の電圧制御装置。
【請求項８】
前記逆潮流継電器は、前記位相差が９０度以上である場合に逆潮流であると判定することを特徴とする請求項１又は２又は４又は５又は６又は７に記載の配電線の電圧制御装置。
【請求項９】
前記逆潮流継電器は、前記位相差が９０度以上であり、かつ前記電流実効値が設定値以上である場合に逆潮流であると判定することを特徴とする請求項３ないし７のいずれか１項に記載の配電線の電圧制御装置。
【請求項１０】
前記逆潮流継電器は、前記位相差演算部で演算された位相差が９０°＋α°（α°は設定した裕度）以上の場合に逆潮流と判定し、それ以外の場合は順潮流と判定することを特徴とする請求項１ないし７のいずれか１項に記載の配電線の電圧制御装置。
【請求項１１】
入力電流に対する目標出力電圧の整定値が、入力電流の負側最大設定値から正側最大設定値にかけて上昇する電圧特性に整定され、１次側が上位系統に、２次側が配電系統に各々接続された変圧器のタップを切り替える電圧調整用継電器を備え、配電線の電圧を制御する装置における電圧制御方法であって、
位相差演算部が前記配電線の電流と電圧の位相差を演算する位相差演算ステップと、
電流実効値演算部が前記配電線の電流の実効値を演算する電流実効値演算ステップと、
逆潮流継電器が、前記位相差演算ステップで演算された位相差に基づいて潮流の向きを判定し、順潮流であると判定されたときは正符号を出力し、逆潮流であると判定されたときは負符号を出力するステップと、
乗算器が、前記電流実効値演算ステップで演算された電流実効値に、前記逆潮流継電器から出力された正又は負の符号を掛け合わせて符号付電流実効値を出力するステップと、
前記電圧調整用継電器が、前記出力された符号付電流実効値を入力とし、該入力電流に対応して整定された目標出力電圧に応じて前記変圧器のタップを切り替えるステップと、
を備えたことを特徴とする配電線の電圧制御方法。
【請求項１２】
入力電流に対する目標出力電圧の整定値が、第１の最小電流設定値から第１の最大電流設定値にかけて上昇する順潮流特性と、第２の最小電流設定値から第２の最大電流設定値にかけて下降する逆潮流特性とに整定され、１次側が上位系統に、２次側が配電系統に各々接続された変圧器のタップを切り替える電圧調整用継電器を備え、配電線の電圧を制御する装置における電圧制御方法であって、
位相差演算部が前記配電線の電流と電圧の位相差を演算する位相差演算ステップと、
電流実効値演算部が前記配電線の電流の実効値を演算する電流実効値演算ステップと、
逆潮流継電器が、前記位相差演算ステップで演算された位相差に基づいて潮流の向きを判定し、順潮流か逆潮流かの判定結果に応じて電圧調整用継電器の整定特性を切り替えるための切替信号を出力するステップと、
前記電圧調整用継電器が、前記電流実効値演算ステップで演算された実効値を入力とし、前記逆潮流継電器から出力された切替信号によって切り替えられた順潮流特性又は逆潮流特性の目標出力電圧に応じて前記変圧器のタップを切り替えるステップと、
を備えたことを特徴とする配電線の電圧制御方法。
【発明の詳細な説明】
【技術分野】
【０００１】
本発明は、電力会社の配電用変電所における、変圧器制御盤に設置される電圧調整用継電器（９０リレー）あるいは同機能を有する制御装置の整定方法に係り、配電線の電圧制御装置、方法に関する。
【背景技術】
【０００２】
従来、配電用変電所においては電圧管理や保護協調の観点から変圧器単位の逆潮流が認められていなかった。そのため、１次側が上位系統に、２次側が配電系統に各々接続された変圧器のタップ切替制御を行う９０リレー（電圧調整用継電器）は、変圧器の潮流方向を上位系統から配電系統に向かう順潮流のみ対応すれば良く、例えば図１７に示すような特性を持たせていた（例えば特許文献１参照）。
【０００３】
図１７において、従来の９０リレーは、正の電流実効値を用いてリレー演算を行い、例えば負荷が増加して配電線電流が増加すると配電線への送出電圧が高くなるように変圧器のタップ切替制御を行う。
【０００４】
一方、近年のＣＯ2排出抑制および震災後の原子力発電所停止に伴い、再生可能エネルギー電源の導入の制約となる配電用変電所の逆潮流規制が緩和される方向で検討が行われている。
【０００５】
順潮流・逆潮流時の電圧・電流位相関係を図１８に示す。図１８は、電圧位相を基準とした横軸を実軸、縦軸を虚軸とする複素平面に電圧・電流ベクトルを表現した図であり、電圧・電流ベクトルの長さ（絶対値）はｐ．ｕ．（ｐｅｒ  ｕｎｉｔ；単位法）で示している。
【０００６】
また、順潮流・逆潮流時の配電線電圧分布を図１９に示す。図１９（ｂ）の横軸は距離、縦軸は電圧の大きさを示している。
【０００７】
配電線の潮流と線路インピーダンスの影響により、図１９（ｂ）に示すように順潮流時は電圧が降下し、逆潮流時は電圧が上昇する。
【０００８】
尚、従来の配電線電圧制御方法としては、例えば特許文献２、３に記載の方法が提案されていた。
【先行技術文献】
【特許文献】
【０００９】
【特許文献１】特許第４７５８３７５号公報
【特許文献２】特開２００６−２６２５５５号公報
【特許文献３】特開２００７−１４３３１３号公報
【発明の概要】
【発明が解決しようとする課題】
【００１０】
配電用変電所において逆潮流が著しくなると、配電線の電圧が上昇するが、前記図１７に示す９０リレー特性のままでは正の電流実効値を用いてリレー演算を行っているため、電流が「大きい」と判断し、電圧上昇を増幅するようにタップ切替を行なってしまうので、配電系統の電圧を適正に維持できなくなる。
【００１１】
本発明は上記課題を解決するものであり、その目的は、逆潮流発生時に配電線電圧上昇を抑えて適切な電圧制御を行うことができる配電線の電圧制御装置、電圧制御方法を提供することにある。
【課題を解決するための手段】
【００１２】
上記課題を解決するための請求項１に記載の配電線の電圧制御装置は、１次側が上位系統に、２次側が配電系統に各々接続された変圧器のタップを切り替えて配電線の電圧を制御する装置であって、前記配電線の電流と電圧の位相差を演算する位相差演算部と、前記配電線の電流の実効値を演算する電流実効値演算部と、前記位相差演算部で演算された位相差に基づいて潮流の向きを判定し、順潮流であると判定されたときは正符号を出力し、逆潮流であると判定されたときは負符号を出力する逆潮流継電器と、前記電流実効値演算部で演算された電流実効値に、前記逆潮流継電器から出力される正又は負の符号を掛け合わせた符号付電流実効値を入力とし、該入力された符号付電流実効値に対する目標出力電圧の整定値が、前記符号付電流実効値の負側最大設定値から正側最大設定値にかけて上昇する電圧特性に整定され、目標出力電圧に応じて前記変圧器のタップを切り替える電圧調整用継電器と、を備えたことを特徴としている。
【００１３】
また請求項１１に記載の配電線の電圧制御方法は、入力電流に対する目標出力電圧の整定値が、入力電流の負側最大設定値から正側最大設定値にかけて上昇する電圧特性に整定され、１次側が上位系統に、２次側が配電系統に各々接続された変圧器のタップを切り替える電圧調整用継電器を備え、配電線の電圧を制御する装置における電圧制御方法であって、位相差演算部が前記配電線の電流と電圧の位相差を演算する位相差演算ステップと、電流実効値演算部が前記配電線の電流の実効値を演算する電流実効値演算ステップと、逆潮流継電器が、前記位相差演算ステップで演算された位相差に基づいて潮流の向きを判定し、順潮流であると判定されたときは正符号を出力し、逆潮流であると判定されたときは負符号を出力するステップと、乗算器が、前記電流実効値演算ステップで演算された電流実効値に、前記逆潮流継電器から出力された正又は負の符号を掛け合わせて符号付電流実効値を出力するステップと、前記電圧調整用継電器が、前記出力された符号付電流実効値を入力とし、該入力電流に対応して整定された目標出力電圧に応じて前記変圧器のタップを切り替えるステップと、を備えたことを特徴としている。
【００１４】
また請求項３に記載の配電線の電圧制御装置は、前記逆潮流継電器は、前記位相差演算部で演算された位相差と前記電流実効値演算部で演算された電流実効値とに基づいて潮流の向きを判定することを特徴としている。
【００１５】
また請求項４に記載の配電線の電圧制御装置は、前記位相差演算部、電流実効値演算部および逆潮流継電器は前記電圧調整用継電器内に内蔵されていることを特徴としている。
【００１６】
また請求項８に記載の配電線の電圧制御装置は、前記逆潮流継電器は、前記位相差が９０度以上である場合に逆潮流であると判定することを特徴としている。
【００１７】
上記構成によれば、電圧調整用継電器（９０リレー）の電圧−電流特性を負の電流領域に拡張し、逆潮流継電器によって潮流方向を判定した結果、順潮流時は正の電流、逆潮流時は負の電流として電圧調整用継電器に導入するようにしたので、逆潮流発生時に配電線電圧上昇を抑えて適切な電圧制御を行うことができる。
【００１８】
また請求項２に記載の配電線の電圧制御装置は、１次側が上位系統に、２次側が配電系統に各々接続された変圧器のタップを切り替えて配電線の電圧を制御する装置であって、前記配電線の電流と電圧の位相差を演算する位相差演算部と、前記配電線の電流の実効値を演算する電流実効値演算部と、前記位相差演算部で演算された位相差に基づいて潮流の向きを判定し、順潮流か逆潮流かの判定結果に応じて電圧調整用継電器の整定特性を切り替えるための切替信号を出力する逆潮流継電器と、前記電流実効値演算部で演算された電流実効値を入力とし、該入力された電流実効値に対する目標出力電圧の整定値が、第１の最小電流設定値から第１の最大電流設定値にかけて上昇する順潮流特性と、第２の最小電流設定値から第２の最大電流設定値にかけて下降する逆潮流特性とに整定され、前記逆潮流継電器からの切替信号によって切り替えられた順潮流特性又は逆潮流特性の目標出力電圧に応じて前記変圧器のタップを切り替える電圧調整用継電器と、を備えたことを特徴としている。
【００１９】
また請求項１２に記載の配電線の電圧制御方法は、入力電流に対する目標出力電圧の整定値が、第１の最小電流設定値から第１の最大電流設定値にかけて上昇する順潮流特性と、第２の最小電流設定値から第２の最大電流設定値にかけて下降する逆潮流特性とに整定され、１次側が上位系統に、２次側が配電系統に各々接続された変圧器のタップを切り替える電圧調整用継電器を備え、配電線の電圧を制御する装置における電圧制御方法であって、位相差演算部が前記配電線の電流と電圧の位相差を演算する位相差演算ステップと、電流実効値演算部が前記配電線の電流の実効値を演算する電流実効値演算ステップと、逆潮流継電器が、前記位相差演算ステップで演算された位相差に基づいて潮流の向きを判定し、順潮流か逆潮流かの判定結果に応じて電圧調整用継電器の整定特性を切り替えるための切替信号を出力するステップと、前記電圧調整用継電器が、前記電流実効値演算ステップで演算された電流実効値を入力とし、前記逆潮流継電器から出力された切替信号によって切り替えられた順潮流特性又は逆潮流特性の目標出力電圧に応じて前記変圧器のタップを切り替えるステップと、を備えたことを特徴としている。
【００２０】
上記構成によれば、逆潮流継電器の判定結果に応じて電圧調整用継電器の順潮流特性と逆潮流特性を切り替えているので、電流実効値を負側に拡張することなく、逆潮流発生時の配電線電圧上昇を抑えて適切な電圧制御を行うことができる。
【００２１】
また請求項５に記載の配電線の電圧制御装置は、前記電圧調整用継電器の出力電圧整定値は、入力電流が零に近い設定範囲において、出力電圧を増減させない領域が設定されていることを特徴としている。
【００２２】
上記構成によれば、潮流方向が例えば頻繁に切り替わって、順潮流と逆潮流の間を行き来する場合は、電圧調整用継電器に設定されている前記出力電圧を増減させない領域が不感帯として作用するので、電圧変動は発生せず安定した制御結果を得ることができる。
【００２３】
また請求項６に記載の配電線の電圧制御装置は、前記電圧調整用継電器の出力電圧整定値は、前記符号付電流実効値の正側と負側とで勾配を変更していることを特徴としている。
【００２４】
また請求項７に記載の配電線の電圧制御装置は、前記電圧調整用継電器の出力電圧整定値は、前記順潮流特性と逆潮流特性とで勾配の度合いを変更していることを特徴としている。
【００２５】
上記構成によれば、例えば負荷や再生可能エネルギー電源の分布によって、逆潮流側において、順潮流側よりも変電所の電流に対する配電線末端の電圧変化が大きい場合や、逆に順潮流側よりも変電所の電流に対する配電線末端の電圧変化が小さい場合に、良好な電圧制御が行える。
【００２６】
また請求項９に記載の配電線の電圧制御装置は、前記逆潮流継電器は、前記位相差が９０度以上であり、かつ前記電流実効値が設定値以上である場合に逆潮流であると判定することを特徴としている。
【００２７】
上記構成によれば、電流実効値が設定値未満の小さい領域では、微小な電流変化により順潮流⇔逆潮流が頻繁に入れ替わったり、相対的に検出誤差が大きくなることで、位相差演算部の演算結果に誤差が出やすいが、これらの微小な電流変化や誤差による潮流方向の誤判定や順潮流⇔逆潮流判定のハンチングを防ぐことができ、逆潮流発生を警報出力する場合に不要な発報を防ぐこともできる。
【００２８】
また請求項１０に記載の配電線の電圧制御装置は、前記逆潮流継電器は、前記位相差演算部で演算された位相差が９０°＋α°（α°は設定した裕度）以上の場合に逆潮流と判定し、それ以外の場合は順潮流と判定することを特徴としている。
【００２９】
上記構成によれば、位相差演算部の演算誤差を考慮した裕度を持たせているので、逆潮流の誤検出を回避することができる。
【発明の効果】
【００３０】
（１）請求項１〜１２に記載の発明によれば、逆潮流発生時に配電線電圧上昇を抑えて適切な電圧制御を行うことができる。
（２）請求項２、１２に記載の発明によれば、電流実効値を負側に拡張することなく、逆潮流発生時の配電線電圧上昇を抑えて適切な電圧制御を行うことができる。
（３）請求項５に記載の発明によれば、順潮流と逆潮流の間を行き来する場合でも、電圧変動は発生せず安定した制御結果を得ることができる。これによって、順潮流と逆潮流とで配電線電圧特性が異なる系統や、無効電流の多い系統において電圧制御効果が向上する。
（４）請求項６、７に記載の発明によれば、逆潮流側と順潮流側で変電所の電流に対する配電線末端の電圧変化が異なる場合に、良好な電圧制御が行える。
（５）請求項９に記載の発明によれば、潮流方向の誤判定、および順潮流⇔逆潮流判定のハンチングおよび逆潮流警報の不要な発報を防ぐことができる。
（６）請求項１０に記載の発明によれば、位相差に裕度を持たせているので、逆潮流の誤検出を回避することができる。
【図面の簡単な説明】
【００３１】
【図１】本発明の実施例１における９０リレーの電圧−電流特性図。
【図２】本発明の実施例１の要部構成を表し、電流実効値演算のブロック図。
【図３】本発明の実施例１における逆潮流リレーの特性を示す複素平面図。
【図４】本発明の実施例１と従来の電圧制御結果の差異を説明するための電圧−電流特性図。
【図５】本発明の実施例２において、無効電流を多く含む場合の電流位相特性図。
【図６】本発明の実施例２における９０リレーの電圧−電流特性図。
【図７】本発明の実施例２と実施例１の電圧制御結果の差異を説明するための電圧−電流特性図。
【図８】本発明の実施例３における、順潮流と逆潮流で配電線の電圧特性が異なる例を示す説明図。
【図９】本発明の実施例３における９０リレーの電圧−電流特性図。
【図１０】本発明の実施例４の要部構成を表し、電流実効値演算のブロック図。
【図１１】本発明の実施例４における逆潮流リレーの特性を示す複素平面図。
【図１２】本発明の実施例５の構成を示すブロック図。
【図１３】本発明の実施例５における９０リレーの電圧−電流特性図。
【図１４】位相差演算誤差による逆潮流リレーでの誤判定を説明する複素平面図。
【図１５】本発明の実施例６における逆潮流リレーの特性の一例を示す複素平面図。
【図１６】本発明の実施例６における逆潮流リレーの特性の他の例を示す複素平面図。
【図１７】従来の９０リレーの電圧−電流特性図。
【図１８】順潮流・逆潮流時の電圧・電流位相関係を示す複素平面図。
【図１９】順潮流・逆潮流時の配電線電圧分布を示す説明図。
【図２０】従来の９０リレーにおける電流実効値演算の説明図。
【発明を実施するための形態】
【００３２】
以下、図面を参照しながら本発明の実施の形態を説明するが、本発明は下記の実施形態例に限定されるものではない。以下の実施例では、本発明を、１次側が上位系統に、２次側が配電系統に各々接続された変圧器のタップを切り替えて配電線の電圧を制御する９０リレー（電圧調整用継電器）に適用した実施例を説明するが、本発明はこれに限らず９０リレーと同様の機能を有した装置に適用してもよい。
【実施例１】
【００３３】
本実施例１では、９０リレー（電圧調整用継電器）の電圧−電流特性を、従来の図１７の特性に代えて、図１に示すように負の電流領域に拡張し、順潮流時は正の電流、逆潮流時は負の電流として演算することで、逆潮流時に適切な電圧制御を行うことができるように構成した。
【００３４】
９０リレーに導入される電流の実効値演算は、従来は図２０のように配電線電流を変流器などにより検出した瞬時値を電流実効値演算部１１によって実効値演算し、正の電流実効値（符号なし実効値）としていた。
【００３５】
これに対し本発明では、実効値演算結果に負の値を持たせるために、図２に示すように、配電線の電圧（検出電圧の瞬時値）と電流（検出電流の瞬時値）の位相差を位相差演算部１２で演算し、その位相差に基づいて、逆潮流リレー（逆潮流継電器）１３によって潮流の向きを判定し、順潮流時は１（正符号）、逆潮流時は−１（負符号）を各々出力し、それら正又は負の符号を、乗算器１４において前記電流実効値演算部１１で演算された正の電流実効値に掛け合わせて、負方向に拡張された実効値、すなわち符号付電流実効値とする。
【００３６】
本実施例１における９０リレーの電圧−電流特性は図１に示すように、符号付電流実効値の最小値ＩMIN（負値）から最大値ＩMAX（正値）にかけて上昇する電圧特性に整定されている。
【００３７】
尚、前記電圧−電流特性の傾き度合いは任意に設定するものである。
【００３８】
前記逆潮流リレー１３の特性は、横軸を実軸、縦軸を虚軸とする複素平面を表す図３のように、電圧と電流の位相差が９０度未満の場合は順潮流であると判定し、９０度以上の場合は逆潮流であると判定する。
【００３９】
上記実施例１の構成（図１、図２）により配電線の電圧を制御した場合と、従来の９０リレー（図１７）により配電線の電圧を制御した場合を図４の電圧−電流特性図とともに説明する。
【００４０】
図４において、従来の９０リレーでは、逆潮流が発生していると、潮流方向を考慮した実際の電流としてはＡの状態であるにも関わらず、Ｂと判定してしまい、電圧はＣに制御される。一方で、本実施例１によると、符号付電流実効値により電流をＡと判定するため、Ｃよりも低い電圧のＤに制御することができる。このため、配電系統の電圧上昇を起こしにくくすることができる。
【００４１】
尚、９０リレーの電圧−電流特性は、図１におけるＩMINの整定を正にすることで、順潮流時は従来通りに変圧器のタップ切り替え制御を行い、逆潮流時は動作ロックを行うような特性を実現することも可能である。
【００４２】
尚、前記実効値演算部１１、位相差演算部１２、逆潮流リレー１３および乗算器１４は、９０リレー（電圧調整用継電器）に内蔵されていてもよい。
【実施例２】
【００４３】
前記実施例１によって配電線電圧を制御した場合、図５の電流位相特性に示すように、配電線電流に無効電流成分が多く含まれると、潮流の向きが変わる前後において、電流が値を持った状態で符号が変化する（図２の乗算器１４の出力が変化する）ジャンプが発生する可能性がある。
【００４４】
そこで本実施例２では、９０リレーの電圧−電流特性に、図６に示すように、順逆潮流の境目に不感帯を持たせるように構成した。図６において、９０リレーの出力電圧整定値は、符号付電流実効値が零に近い正側および負側を含む設定範囲、すなわち負側最小設定値ＩN_MINから正側最小設定値ＩP_MINまでの範囲を、出力電圧を増減させない（不感帯）領域として設定している。
【００４５】
上記実施例２の構成（図６）により配電線の電圧を制御した場合と実施例１の９０リレー（図１）により配電線の電圧を制御した場合を図７の電圧−電流特性図とともに説明する。
【００４６】
図７において、順潮流と逆潮流の間を行き来するような状態の時に、実施例２の方式ではＡとＡ’の間を行き来することになる。実施例１ではそれに伴い電圧はＢとＢ’の間で制御を行ってしまうために電圧変動の原因となるが、実施例２では電流Ａ⇔Ａ’間で電圧の目標値が変わらないため、安定した制御結果を得ることができる。
【００４７】
以上のように実施例２によれば、９０リレーの電圧−電流特性に電流ゼロ付近の不感帯領域を設けているため、順潮流と逆潮流で配電線電圧特性の異なる系統や無効電力の多い系統において、電圧制御効果が高められる。
【実施例３】
【００４８】
実際の配電線では、図１９のように直線的に電圧が変化するのではなく、負荷や再生可能エネルギー電源の分布によって図８に示すようにカーブを持って変化することが多く、順潮流側と逆潮流側で９０リレーの特性を変更した方が望ましい場合がある。
【００４９】
図８は順潮流と逆潮流で配電線の電圧特性が異なる例を表し、図８（ｂ）の横軸は距離、縦軸は電圧の大きさを示している。図８は、変電所の電流に対する配電線末端の電圧変化が、順潮流側よりも逆潮流側の方が大きい例を示している。
【００５０】
このような場合、９０リレーの電圧−電流特性の勾配を、逆潮流側できつくした方が良好な電圧制御が行える。
【００５１】
そこで本実施例３では、９０リレーの電圧−電流特性を図９に示すように、符号付電流実効値の負側最大値ＩN_MAXから負側最小値ＩN_MINまでの範囲で電圧−電流特性の勾配を急に設定した。その他の電流範囲内（負側最小値ＩN_MINから正側最大値ＩP_MAXまでの範囲内）は図６と同様に設定されている。
【００５２】
図９の特性によって電圧制御を行うことにより、変電所の電流に対する配電線末端の電圧変化が、順潮流側よりも逆潮流側の方が大きい場合に、良好な電圧制御が行える。
【００５３】
尚、９０リレーの電圧−電流特性において、実施例２（図６）における不感帯領域の設定幅や、実施例３（図９）における急勾配の傾き度合いおよび急勾配領域の範囲は、図６、図９に限らず任意に設定するものである。
【実施例４】
【００５４】
配電線の電流が小さい領域では、相対的に検出誤差が大きくなり図２の位相差演算部１２の演算結果に誤差がでやすい。また、微小な電流変化により順潮流⇔逆潮流間のハンチングを起こす場合もある。そこで本実施例４では、図１０に示すように、逆潮流リレー２３の入力に電流実効値演算部１１で演算された正の電流実効値を追加し、逆潮流リレー２３の特性を、横軸を実軸、縦軸を虚軸とする複素平面を表した図１１のように、電圧と電流の位相差が９０度以上で且つ電流実効値が設定値より小さい場合に不感帯を持つ特性とした。そしてこの不感帯領域では順潮流と判定し「１」を出力するものである。
【００５５】
このように逆潮流リレー２３の特性を、不感帯を有した図１１の特性とすることにより、前記誤差によって逆潮流リレー２３が潮流方向を誤って判定することは防止される。また、微小な電流変化によっても引き起こされる順潮流⇔逆潮流判定のハンチングを防ぐことができ、逆潮流発生を警報出力する場合に不要な発報を防ぐこともできる。
【００５６】
尚、図１１のように逆潮流リレー２３の特性に不感帯を設けても、その不感帯は電流が小さい範囲であるため、９０リレーの電圧−電流特性上あまり目標電圧は変わらないことから、不感帯とすることによる問題は生じない。
【実施例５】
【００５７】
本実施例５では、逆潮流リレーの潮流方向判定結果を、実施例１〜実施例４のように正、負符号の出力とすることに代えて、図１２に示すように、９０リレーにおける目標電圧演算部の９０リレー特性切替信号として用いることで、電流実効値を負側に拡張しなくても本発明の効果が得られるように構成した。図１２において、図２、図１０と同一部分は同一符号をもって示している。
【００５８】
３０は９０リレーにおける目標電圧演算部であり、電流実効値演算部１１で演算された電流（符号なし実効値）を入力とし、９０リレーの電圧−電流特性に沿った目標電圧を出力する。
【００５９】
この目標電圧演算部３０で用いる９０リレーの電圧−電流特性は、図１３に示すように順潮流と逆潮流の２種類の特性を有しており、順潮流特性は、図６の正電流領域に示す正側最小設定値ＩP_MINに相当する第１の最小設定値から正側最大設定値ＩP_MAXに相当する第１の最大設定値にかけて上昇する特性に整定され、逆潮流特性は、図６の負電流領域に示す負側最小設定値ＩN_MINの絶対値に相当する第２の最小設定値から負側最大設定値ＩN_MAXの絶対値に相当する第２の最大設定値にかけて下降する特性に整定されている。
【００６０】
また、順潮流特性におけるＩP_MINに相当する第１の最小設定値から電流零までの範囲と、逆潮流特性におけるＩN_MINの絶対値に相当する第２の最小設定値から電流零までの範囲とを、出力電圧を増減させない（不感帯）領域として設定している。
【００６１】
したがって、図１３の順潮流特性は図６の正電流領域の電圧特性と等価であり、逆潮流特性は図６の負電流領域の電圧特性と等価である。
【００６２】
３３は、位相差演算部１２で演算された位相差に基づくか、又は前記位相差および電流実効値演算部１１で演算された正の電流実効値に基づいて、潮流の向きを判定し、その判定結果に応じて特性切替指令（切替信号）を出力し、判定結果が順潮流であるときは目標電圧演算部３０の９０リレー特性を順潮流特性に切り替え、判定結果が逆潮流であるときは目標電圧演算部３０の９０リレー特性を逆潮流特性に切り替える逆潮流リレーである。
【００６３】
前記逆潮流リレー３３の入力を、位相差演算部１２の出力のみとした場合は、前記図３に示すリレー特性となる。また、前記逆潮流リレー３３の入力を、電流実効値演算部１１と位相差演算部１２の両方の出力とした場合は、前記図１１に示す不感帯を有したリレー特性となり、この不感帯領域では順潮流と判定するものである。
【００６４】
上記のように構成することにより、電流実効値に符号のない従来の演算方式のままで本発明の効果を得ることができる。
【００６５】
尚、目標電圧演算部３０に設定される９０リレーの電圧−電流特性（順潮流特性、逆潮流特性）の傾き度合いは任意に設定されるものである。例えば図１３の逆潮流特性を、図９の負電流領域の電圧特性のように特性勾配を急に設定してもよい。
【実施例６】
【００６６】
前記実施例では、逆潮流リレー１３、２３の逆潮流判定を図３、図１１の複素平面の左側の部分、すなわち電圧と電流の位相差が９０度以上の場合（図１１では不感帯を除いた部分）に逆潮流であると判定していた。
【００６７】
実際には、リレー演算（位相差演算部１２の演算）においては、位相角計算結果に誤差が含まれるため、誤った潮流判定を行う可能性がある。
【００６８】
例えば、複素平面上で電圧と電流の位相差を示す図１４において、電流Ｉの真の位相角がＡ点であるにも関わらず、位相差演算部１２の演算誤差によりＢ点と算出した場合、順潮流であるにも関わらず逆潮流と判定してしまう。
【００６９】
そこで本実施例６では、複素平面上で逆潮流リレーの特性を示す図１５のように、逆潮流側の判定位相角に余裕を持たせ、電圧と電流の位相差が９０°＋α°（α°は設定した裕度）以上の場合に逆潮流であると判定し、それ以外の場合は順潮流と判定するように構成した。
【００７０】
また、図１１のように不感帯を持たせたリレー特性においても、複素平面上で逆潮流リレーの特性を示す図１６のように、逆潮流側の判定位相角に余裕を持たせ、電圧と電流の位相差が９０°＋α°（α°は設定した裕度）以上の場合に逆潮流であると判定し、それ以外の場合は順潮流と判定するように構成した。
【００７１】
図１５、図１６のように、逆潮流側の位相角に裕度α°を持たせる（逆潮流リレーの特性を、逆潮流検出側にα°オフセットした特性とする）ことによって、前記図１４のように電流Ｉの真の位相角がＡ点であるにも関わらず、位相演算部１２でＢ点と算出してしまった場合でも、逆潮流リレーにおいて誤って逆潮流であると判定することはない。
【００７２】
前記裕度α°は、例えば基本波特性の位相管理値を基に周波数変動による更なる位相誤差を考慮して設定するものである。
【符号の説明】
【００７３】
１１…電流実効値演算部
１２…位相差演算部
１３、２３、３３…逆潮流リレー
１４…乗算器
３０…目標電圧演算部
【図１】
2014239634.tif 000003
【図２】
2014239634.tif 000004
【図３】
2014239634.tif 000005
【図４】
2014239634.tif 000006
【図５】
2014239634.tif 000007
【図６】
2014239634.tif 000008
【図７】
2014239634.tif 000009
【図８】
2014239634.tif 000010
【図９】
2014239634.tif 000011
【図１０】
2014239634.tif 000012
【図１１】
2014239634.tif 000013
【図１２】
2014239634.tif 000014
【図１３】
2014239634.tif 000015
【図１４】
2014239634.tif 000016
【図１５】
2014239634.tif 000017
【図１６】
2014239634.tif 000018
【図１７】
2014239634.tif 000019
【図１８】
2014239634.tif 000020
【図１９】
2014239634.tif 000021
【図２０】
2014239634.tif 000022